(57)【特許請求の範囲】
【請求項１】
結像レンズと、該結像レンズによって物体像が投影される受光素子と、該受光素子を保持するセンサ保持部材を有し、該受光素子が該結像レンズの光軸に対して垂直であって互いに直交する第一、第二の２つの軸回りの傾き調整を必要とする受光素子の位置調整装置において、該センサ保持部材は該第一の軸と平行に並んだ一対のヒンジ部と回転可能に取り付けられることで該受光素子が該第一の軸回りの傾き調整を可能とし、該ヒンジ部の少なくとも一方が光軸方向に進退することにより該受光素子が第二の軸回りの傾き調整を可能としたことを特徴とする受光素子の位置調整装置。
【発明の詳細な説明】
【０００１】
【発明の属する技術分野】
本発明は、小型機器、例えばカメラの焦点検出装置等に用いる受光素子の位置調整装置に関するものである。
【０００２】
【従来の技術】
近年、数多くの一眼レフカメラには、ラインセンサを用いた位相差検知方式による自動焦点装置が搭載されており、登場初期には撮影画面上で中央一点であった焦点検出点も水平方向に３点、５点、さらには上下方向へと増えてきている。しかしながら、これらはいずれも点状のごく狭い範囲についての焦点検出であることには変わりなく、撮影者が自由な位置で焦点検出を行うことはできなかった。
【０００３】
そして、近年では２次元的に設けられた焦点検出範囲の自由な位置で焦点検出が可能な、いわゆるエリア型オートフォーカス（以下「エリアＡＦ」という」）の提案が数多くなされている。
このエリアＡＦを実現するための焦点検出光学系を有するカメラの概略を図１を参照して説明する。
すなわち、不図示の対物レンズを取り付けるレンズマウント１の光軸Ｏ上には中央部に半透過性領域を有する主ミラー２が回動可能に傾斜して配置され、該主ミラー２の後面側には光軸Ｏ上に斜めに配置された第一のサブミラー３が取り付けられ、カメラ底部に該第一のサブミラー３に対向して第二のサブミラー６が設けられ、被写体からの測距光は主ミラー２の半透過性領域を通して第一のサブミラー３、第二のサブミラー６を介して反射され、さらに赤外カットフイルター８、４つの開口部を有する絞り９、絞り９の開口部に対応して４つのレンズ部を有する再結像レンズブロック１０、第三のサブミラー１１を介して受光素子から構成されかつ直交する２対の２次元型受光エリアを有するエリアセンサ１３で受光して焦点検出するようになっている。
【０００４】
一般に、位相差検知方式を用いるエリアＡＦにおいては、対となって投影される２次物体像が２次元的に大きく拡がりを持つために、センサが大型化する。
そこで、前記のようなＺ型の光学系を採用して結像面５からエリアセンサ１３までの光路長を長くとり、このなかで前記再結像レンズブロック１０とエリアセンサ１３の距離を極力短くすることでエリアセンサ１３への再結像倍率を極力小さくしている。
【０００５】
【発明が解決しようとする課題】
ところで、前述焦点検出の構成において、それぞれ直交して配置される２対の受光エリアはいずれも光軸に対して垂直な面上に位置し、かつ各瞳分割の方向に平行に配置されることが正確な焦点状態を検出する上で必須条件になる。
しかしながら、単部品精度や組立ての誤差などにより光軸とエリアセンサ１３の各受光面との間には必ず誤差が生じるため、光軸に対してエリアセンサ１３の位置出しを行う機構が必要となる。
また、前述従来例においては、２対の受光エリアを持つ関係で光軸に対して垂直な直交する二つの軸回りについての傾き調整が必要となる。このような調整機構は一軸の傾きを調整する第一のステージと、直交する他方の軸回りの傾きを調整する第一のステージに重ねられた第二のステージ上に受光素子を保持させる方法が一般的である。しかしながら、再結像レンズブロック１０とエリアセンサ１３間の距離を極力短くすることが望ましいエリアＡＦにおいては、前記調整方法はスペースの制約上困難である。
【０００６】
また、２つの調整ステージを用いない方法が特公昭６３−８８５１２号公報に記載されているが、この方法は以下の理由で用いられていない。
第一に、エリアセンサは小型化のために従来のラインセンサよりもより微細な画素で構成されるため、調整後のビスを締付ける際の僅かなズレが焦点検出に影響を及ぼす可能性がある。
第二に、センサホルダーの可撓性を利用した調整方法ではセンサホルダー自体が経時変化などに起因して変形して調整が狂ってしまう恐れがある。
【０００７】
本発明は、前述従来例の問題点に鑑み、焦点検出のためのセンサの受光素子の位置調整装置が僅かのスペースで構成でき、かつ調整されたセンサの固定が簡単かつ確実に行うことのできる受光素子の位置調整装置を提供することを目的とする。
【０００８】
【課題を解決するための手段】
前述の目的を達成するために、本発明は結像レンズによって物体像が投影される受光素子が互いに直交する２つの軸回りの傾き調整を必要とする受光素子の位置調整装置において、受光素子の保持部材は一方の軸回りに回転可能でかつ該結像レンズの光軸方向に移動可能にしたものである。
【０００９】
【発明の実施の態様】
請求項１に示す本発明は結像レンズと、該結像レンズによって物体像が投影される受光素子と、該受光素子を保持するセンサ保持部材を有し、該受光素子が該結像レンズの光軸に対して垂直であって互いに直交する第一、第二の２つの軸回りの傾き調整を必要とする受光素子の位置調整装置において、該センサ保持部材は該第一の軸と平行に並んだ一対のヒンジ部と回転可能に取り付けられることで該受光素子が該第一の軸回りの傾き調整を可能とし、該ヒンジ部の少なくとも一方が光軸方向に進退することにより該受光素子が第二の軸回りの傾き調整を可能としたことにより、結像レンズと受光素子の間にはセンサ保持部材のみしか存在しないので、非常に小さいスペースに配置でき、調整された受光素子は２つの軸回りについて同時に固定ができるので、簡単な構成となる。
【００１０】
【実施例】
以下、本発明の一実施例を図１ないし図１０を用いて説明する。
図１はエリアＡＦを実現するための焦点検出光学系を有するカメラのミラーボックス部分の断面図、図２は焦点検出光学系のうちのＡＦブロック部分の分解斜視図、図３は焦点検出光学系のうちの第一のサブミラーの構成を示す平面図である。
図において、１はレンズマウントで、その前部に不図示の対物レンズが取り付けられる。２は対物レンズの光軸Ｏ上に配置され、中央部に半透過性領域を有する主ミラーで、主ミラー受板２２に保持されている。３は該主ミラー２の後面に光軸Ｏ上において斜めに配置された第一のサブミラー、４は撮像面、５は該第一のサブミラー３による撮像面４に共役な近軸的結像面、６は第二のサブミラーで、カメラ底部側に該第一のサブミラー３に対向して配置され、不要な光線の反射を防ぐためにマスク部材７に取り付けられている。なお、２１はファインダー部枠体である。
【００１１】
８は赤外線カットフイルターで、９は後記する４つの開口部を有する絞り、１０は該絞り９の開口部に対応して４つのレンズ部を有する再結像レンズブロック、１１は第三のサブミラー、１３はセンサ保持部材１２に保持される受光素子からなる２次元型受光エリアを備えたエリアセンサで、いずれも後記するＡＦ本体ブロック２４に支持されている。
【００１２】
ここで、該第一のサブミラー３は図３に示すように回転楕円面であるほぼ小判状の反射部３ａとサブミラー受板２３に固定するためのフランジ部３ｂで構成され、該反射部３ａを開口部としたマスク１５が取り付けられている。これによって、該第一のサブミラー３は焦点検出領域を制限する視野マスクの役割を兼ねている。また、該反射部３ａの楕円を定義する２つの焦点は、対物レンズの光軸Ｏ上の光線が主ミラー２で屈折した後の光路を逆に対物レンズ側に延長した線上と、その光線が該第一のサブミラー３によって反射した後の光路を延長した線上にそれぞれ位置している。なお、該第二及び第三のサブミラー６及び１１はともに平面鏡である。
【００１３】
また、該絞り９は金属製あるいは樹脂製の遮光製薄板よりなり、４つの開口部９ｅ，９ｆ，９ｇ，９ｈを有し、開口部９ｅ，９ｇに対し開口部９ｆ，９ｈが直交して配置されている。
該再結像レンズブロック１０は光入射側は該第一のサブミラー３によって偏向した対物レンズの光軸Ｏ上に中心を持つ単一の凹状球面１０ａを、射出側は互いに反対方向に偏心した凸レンズ１０ｅ，１０ｆ，１０ｇ，１０ｈ（凸レンズ１０ｅ，１０ｇの対と凸レンズ１０ｆ，１０ｈの対とは直交している）をそれぞれ構成している。さらに、該凹状球面１０ａの中心は該第一のサブミラー３によって形成される対物レンズの近軸的結像面５に、また、該２対の凸レンズ１０ｅ，１０ｆ，１０ｇ，１０ｈの中心は該絞り９の開口の近傍にほぼ等しく設定してある。
該エリアセンサ１３は２次元型受光エリア１３ｅ，１３ｆ，１３ｇ，１３ｈを備え、受光エリア１３ｅ，１３ｇの対と受光エリア１３ｆ，１３ｈの対とは直交している。
【００１４】
そして、該絞り９及び該再結像レンズブロック１０はそれぞれ位置決め穴９ｉ、９ｊ及び１０ｉ，１０ｊを用いてＡＦ本体ブロック２４の軸２４ｉ，２４ｊに同軸に取り付けられ、互いの位置精度が保証された状態でＡＦ本体ブロック２４に固定される。
また、該ＡＦ本体ブロック２４には両側部に穴部２４ａが設けられ、該穴部２４ａには上下方向に摺動可能にアジャスター１４が取り付けられており、該アジャスター１４に一体的に突設したヒンジ部１４ａには金属板からなる前記センサ保持部材１２の両側に設けた円弧状の摺動部１２ａが当接している。そして、センサ保持部材１２の下面には該エリアセンサ１３の受光面側に貼り付けられたカバーガラス１３ａの表面が当接している。
また、該エリアセンサ１３の各受光エリア１３ｅ，１３ｇ及び１３ｆ，１３ｈは、図６に示すようにそれぞれ長方形の開口を持った多数の画素よりなる複数のセンサ列１０１及び１０２で構成され、長手方向のセンサ列同士は対を成している。
【００１５】
ここで、焦点検出のための光路としては、絞り９の開口部９ｅ，９ｆ，９ｇ，９ｈを通過した光束はそれぞれ再結像レンズブロック１０の凸レンズ１０ｅ，１０ｆ，１０ｇ，１０ｈにより第三のサブミラー１１を介してエリアセンサ１３の受光エリア１３ｅ，１３ｆ，１３ｇ，１３ｈに２次物体像をそれぞれ形成する。なお、異なる添字の要素を通過した光束はエリアセンサ１３上の所定の位置に到達しないため焦点検出には寄与しない。そして、添字ｅ，ｇで示した要素を通過する光束を用いる検出系は、対物レンズの射出瞳を縦方向に分離し、一方、添字ｆ，ｈで示した要素を通過する光束を用いる検出系は、対物レンズの射出瞳を横方向に分離する。
以後、瞳を縦方向に分離する検出系を「第一の焦点検出系」と、瞳を横方向に分離する検出系を「第二の焦点検出系」という。
【００１６】
そこで、焦点検出光線について説明すると、まず、不図示の対物レンズからの光束は主ミラー２を透過した後、第一のサブミラー３によってほぼ主ミラー２の傾きに沿った方向に反射される。該第一のサブミラー３は前述のように楕円鏡であって、２つの焦点の近傍同士を実質的に投影関係におくことができる。ここでは、一方の焦点を対物レンズの代表射出瞳位置の光学的な等価点に、他方の焦点を絞り９の光学的な等価点に設定し、フィールドレンズとしての機能を持たせている。対物レンズの代表射出瞳位置とは、カメラに装着される種々の撮影レンズの射出窓の条件を勘案し総合的に決定される焦点検出系固有の仮定瞳位置である。
【００１７】
さらに、第一のサブミラー３で反射した光束は第二のサブミラー６で再び反射し、赤外カットフイルター８に入射する。ここで焦点検出の精度を低下させる要因となる赤外線が除去され、対物レンズの収差補正が十分にされている波長域の光のみが背後に置かれた絞り９や再結像レンズブロック１０に到達する。そして再結像レンズブロック１０の作用で収斂した光束は第三のサブミラー１１を介して２次物体像をエリアセンサ１３上に形成する。
【００１８】
図７は本実施例における焦点検出装置の撮像面４上での焦点検出領域を表わすもので、１１１は第一焦点検出系での範囲、１１２は第二焦点検出系での範囲を示している。そして、再結像レンズブロック１０の凸レンズ１０ｅ，１０ｇ及び１０ｆ，１０ｈによって形成される前記焦点検出領域に対応したエリアセンサ１３上の２次物体像は、図６に格子状に示す１０３ｅ，１０３ｇ及び１０４ｆ，１０４ｈであり、それぞれ相対的位置関係を検出すべき対の像となる。
【００１９】
ここで、絞り９の開口部９ｅ，９ｇの間隔と開口部９ｆ，９ｈの間隔とは異なり、間隔の広い第二焦点検出系の方が２次物体像の移動が敏感になることで高精度な焦点検出が可能となる。
また、間隔の狭い第一焦点検出系では第一のサブミラー３の大きさで決定される領域にて焦点検出が可能であるが、間隔の広い第二焦点検出系では主ミラー２の開口部や第二のサブミラー６上のマスク部材７の開口部並びに前述の代表瞳の大きさ等に光線が通れる領域が制限されるために、焦点検出範囲が異なったものになる。
【００２０】
さらに、第一のサブミラー３が曲面でかつ斜設されていることに起因して、図６に示すように各像には光軸に対して対称性のないかなり大きな歪みが生ずる。ただし、このような歪みが存在する場合であっても、次の二つの条件を満たせば、特に速やかなピント合わせが必要なカメラ用の焦点検出装置としても問題はない。
その条件とは、第一に、正確な合焦判定を得るために、少なくとも対物レンズが合焦している際に、検出対象となる一対のセンサ列上には物体上で同一位置に対応する２次物体像が投影されていること、つまりセンサ列に直交する方向において二像の倍率差が小さいこと。第二に、正確なデフォーカス検出を得るために、対物レンズのデフォーカスが生じた際に、検出対象となる一対のセンサ列上には物体上で同一位置に対応する２次物体像が位置的な位相差を持って投影されていることである。
【００２１】
そこで、このような観点からこの焦点検出系を説明すると、瞳を縦方向に分離する第一の焦点検出系については、第一のサブミラー３の傾きが瞳の分離方向と一致した図１の紙面内の方向であるために、２次物体像１０３ｅ，１０３ｇのいずれについても歪みはこの紙面に対称な扇形状となる。
しかし、二像間での歪みの差に注目すればそれは僅かであって、特に瞳の分離と直交する方向に相当する図の横方向の２次物体像１０３ｅと１０３ｇの像倍率差はほとんどない。従って、図６に示すように受光エリアのセンサ列に配置すれば、一方の受光エリア上の任意のセンサ列上に投影された物体像と対になる物体像は他方の受光センサ上の対応するセンサ列上に投影されることになる。つまり、前記の第一の条件を満たすことになる。
【００２２】
また、２次物体像の歪みの要因は第一のサブミラー３、すなわち瞳投影光学系にあり、第一のサブミラー３の近軸的像面５に生じた歪みが再結像レンズブロック１０によってそのままエリアセンサ１３上に投影されているといえる。したがって、２次物体像の移動方向は絞り９の開口部９ｅ，９ｇの並び方向であって、エリアセンサ上では図６に示す矢印Ｄ1の方向である。そのため、前記のように図６に示すようにセンサ列を設定することによって同時に第二の条件も満たし、これをもって２次物体像の相対的位置関係を比較し、対物レンズのデフォーカス量を求めることができる。
【００２３】
次に、瞳を横方向に分離する第二の焦点検出系については、二像間での像倍率差が瞳の分離と直交する方向で小さくなるのは、今度は撮像面の中央部に近い領域だけである。
そこで、この部分だけに受光エリアを限定すれば、一方の受光エリア上の任意のセンサ列上に投影された物体像と対になる物体像は他方の受光エリア上の対応するセンサ列上に投影され、前記の第一の条件を満たすことになる。
【００２４】
図６に示すように対となる２次物体像１０４ｆ，１０４ｈの移動方向は第一の焦点検出系と同様の理由から絞り開口部９ｆ，９ｈの並び方向であって、センサ列を図のように設定することにより、既に第二の条件を満たすことができている。
なお、図７において第二の焦点検出系での焦点検出領域１１２が撮像面４内の中央部となるのは前述の絞り間隔に起因するものに加えて、前記の理由によるところが大きい。
【００２５】
このようなエリアセンサ１３を用いて光量分布を電気信号として出力し、検出対象とした一対のセンサ列上の像の相対的位置関係を検出することによって、対物レンズの焦点位置を検出することが可能である。この際、検出対象のセンサ列を適当に選択すれば、撮像面上で二次元的な結像状態の検出ができる。
【００２６】
さて、それぞれ直交して配置される二対の受光エリアはいずれも光軸に対して垂直な面上に位置し、かつ各瞳分割の方向に平行に配置されることが正確な焦点状態を検出する上で必須条件となる。しかしながら、単部品精度や組立の誤差等により光軸とエリアセンサ１３の各受光面との間には必ず誤差が生ずる。
【００２７】
まず、光軸方向にエリアセンサ１３が移動した場合を考えると、再結像レンズブロック１０から射出した光束は受光エリア全体を見れば、広がりながら進むので、エリアセンサ１３が再結像レンズブロック１０に近付けば（図１において上方に移動）受光エリアの面上の２次物体像は光軸を中心に縮小し、逆に遠ざかれば拡大することになる。
しかしながら、この場合、第一、第二いずれの焦点検出系においても対となる２次物体像の間では、特に瞳の分割と直交する方向での像倍率の差はほとんど生じないので、対応するセンサ列には同一物体像が投影されることになり、前述の第一、第二の焦点検出条件は満たされることになる。（ただし、あくまで受光面位置誤差が極端ではないことを条件とする。）
【００２８】
次に、図６のエリアセンサ中心Ａ回りにエリアセンサ１３が回転した場合であるが、第一、第二の焦点検出系のいずれの場合においても対となる物体像は、瞳の分割と直交する方向に注目すれば各受光エリア上を互いに逆方向へ移動することになるので、対応するセンサ列には異なった位置の物体像が投影されて焦点検出が不可能になることは明らかである。
【００２９】
次に、エリアセンサ１３が図６に示すｚ−ｚ軸回りに極端に傾いた状態を考える。このときは図８に示すように再結像レンズブロック１０との距離差によりｙ−ｙ軸の方向で倍率差が生じ、２次物体像は１０３ｅ′，１０３ｇ′，１０４ｆ′，１０４ｈ′のようになる。ここで、大きく影響を受けるのが第一の焦点検出系であり、対となる受光エリア１３ｅ，１３ｇには全く像倍率の異なった物体像が投影されることになる。瞳の分割と直交する方向で中央部から外側へ向かうに従って対となるセンサ列には全く違う位置の物体像が投影されることになり、前述の第一の条件が満たせなくなる。
なお、瞳分割方向への位置ズレに関しては、瞳分割方向の像位置の相対関係に補正を掛けることで前述の第二の焦点検出条件までを満たすことが可能である。
【００３０】
次いで、エリアセンサ１３が図６に示すｙ−ｙ軸回りに極端に傾いたときには、各２次物体像は図９に示すように１０３ｅ″，１０３ｇ″，１０４ｆ″，１０４ｈ″のようにｚ−ｚ軸の方向で倍率差を生じ、前記のｚ−ｚ軸回りの場合と同様な理由で第二の焦点検出系が大きく影響を受ける。
【００３１】
そこで、前記の問題を生じないようにエリアセンサ１３の位置を実際の光軸に対して調整する機構が必要となるが、前記アジャスター１４及びセンサ保持部材１２はエリアセンサ１３の位置調整を行うための機構であり、以下、図４及び図５を用いてその作用及び調整手順について説明する。
図４はセンサ調整機構の側面図、図５は図４のｋ−ｋ線断面図である。
エリアセンサ１３のパッケージは、その四辺にそれぞれ設けられた半丸状の切り欠け１３ｂ（図２参照）と底面部が不図示の調整工具にて保持される。そして、前記アジャスター１４は双方とも不図示の工具にてＦ方向にばね付勢されている。
該調整工具にてエリアセンサ１３を動かすと、センサ保持部材１２はアジャスター１４に加えられた付勢力によってカバーガラス１３ａに当接したまま追従する。
【００３２】
調整の手順としては、最初に前述のエリアセンサ中心Ａ回りの回転に相当する調整が行われる。ここでは第一の焦点検出系の図７に示す位置Ｐに対応するセンサ列の出力を利用する。その理由は、中央のセンサ列はこの段階では調整されていないｙ−ｙ軸、ｚ−ｚ軸回りのエリアセンサの傾きの影響を受けにくいからである。
【００３３】
調整には図７に示す２つの斜めのチャートＶ、Ｗが同一距離で被投影物体として与えられる。これらチャートの２次物体像は図１０に示すようにＶｅ，Ｖｇ，Ｗｅ，Ｗｇのように結像されるはずであるが、エリアセンサ１３が時計回りに回転していた場合には、チャートＶ、Ｗの２次物体像は受光エリア１３ｅ，１３ｇ上で、破線で示すＶｅ′，Ｗｅ′，Ｖｇ′，Ｗｇ′のように結像される。従って、中央の相対する２つのセンサ列によって得られる像信号の相対位置関係には、チャートＶとチャートＷの間で  △Ｖ−△Ｗ  の差が生じる。同一距離にある物体像に対してはこのような差は生じないので、この差を打ち消すようにエリアセンサ１３を調整工具によって光軸回りに回転させていけばよい。
【００３４】
次に、前述のエリアセンサ１３のｚ−ｚ軸回りの回転に相当する位置調整が行われる。
今度は図７に示す第一の焦点検出系の焦点検出範囲の外縁ＱもしくはＲに対応するセンサ列を用いて調整が行われる。これは、前述したように焦点検出領域の外側が像倍率の差の影響を一番受けるからである。調整の原理は前記と同様で、２つの斜めのチャートをＱもしくはＲの位置に置き、対応するセンサ列の像信号の相対位置関係の差をなくすようにエリアセンサ１３を傾けていけばよい。
【００３５】
図４はｚ−ｚ軸回りの傾き調整時のセンサ保持部材１２及びエリアセンサ１３の動きを表わしている。すなわち、エリアセンサ１３が調整工具によってセンサチップ上の受光面１３ｃ上の前記ｚ−ｚ軸（図中、１３ｉの位置で紙面に垂直な軸）回りに回転させられると、センサ保持部材１２はカバーガラス１３ａとの間でほんの僅かな滑り生じさせながら、アジャスター１４のヒンジ部１４ａ回りを摺動し、エリアセンサ１３に追従するように回転する。
【００３６】
最後に、前述のエリアセンサ１３のｙ−ｙ軸回りの回転に相当する位置調整が行われる。ここでは図７に示すように第二の焦点検出系の焦点検出範囲の外縁ＳもしくはＴに対応するセンサ列を用いて調整が行われる。ここでも同様に、２つの斜めのチャートをＳもしくはＴの位置に置き、対応するセンサ列の像信号の相対位置関係の差をなくすようにエリアセンサ１３を傾けていけばよい。
【００３７】
図５はｙ−ｙ軸回りの傾き調整時のセンサ保持部材１２及びエリアセンサ１３の動きを表わしている。
最初に、エリアセンサ１３が実線で示すように左側に傾いた状態にあった場合、センサ保持部材１２はアジャスター１４の付勢力を受けてエリアセンサ１３と同様に傾き、左右のアジャスター１４は上下方向に段差を持った状態になる。そして、エリアセンサ１３を調整工具によってセンサチップ上の受光面１３ｃ上の前記ｙ−ｙ軸（図中１３ｊの位置で紙面に垂直な軸）中心に時計回りに回転させると、センサ保持部材１２は左側のアジャスター１４を押し上げつつ、逆に右側のアジャスター１４を付勢力Ｆにより下げつつエリアセンサ１３に追従して回転する。エリアセンサ１３が二点鎖線まで回転したとき左右のアジャスター１４は二点鎖線１４′で示すように最初とは逆の段差になる。
【００３８】
以上のようにして調整された後、斜線部３０で示すように左右２個所のアジャスター１４のヒンジ部１４ａ回りを、ＡＦ本体ブロック２４、センサ保持部材１２及びエリアセンサ１３を含めて接着する。このとき、接着剤としてはＵＶ接着剤等の硬化時間が短いものを用い、紫外線照射等による硬化後に調整工具から取り外す。
【００３９】
従って、図４及び図５から見て明らかなように、本実施例ではエリアセンサ１３に対する２つの軸回りの傾き調整を、ＡＦ本体ブロック２４とエリアセンサ１３の限られた僅かなスペースで行うことができる。また、アジャスター１４は互いに光軸方向に移動することが可能であるから、例えばエリアセンサ１３の光軸方向での寸法が変更されても、いずれの部品の形状を変えることなく受光面１３ｃを理想的な位置に配置することができる。
【００４０】
図１１は本発明の第２実施例を示すものである。なお、説明を簡単にするために前述第１実施例と同一部分には同一符号を付し、相違する点のみを説明する。
図１１はセンサ調整機構の要部正面図である。
本実施例ではアジャスター１４のヒンジ部１４ａの一方（本実施例では図示右側）をＡＦ本体ブロック２４に一体成形された固定ヒンジ部２４ｂにしたものである。その他の構成は前述第１実施例と同様である。
【００４１】
以上の構成の本実施例は固定ヒンジ部２４ｂを手がかりとしてエリアセンサ１３の光軸方向での初期位置出しが容易になり、かつ部品点数の削減ができる。
なお、ｙ−ｙ軸回りの傾き調整において、エリアセンサ１３はセンサ保持部材１２とＡＦ本体ブロック２４の固定ヒンジ部２４ｂとの当接部を中心に回転することになるので、アジャスター１４の同一移動量での角度変化は前述第１実施例よりも狭くなる。また、受光面１３ｃの光軸方向の変化も僅かながら生ずるが、これについては焦点検出にほとんど悪影響を及ぼさないことは前述した通りである。
【００４２】
【発明の効果】
以上説明したように、請求項１に示す本発明は結像レンズと、該結像レンズによって物体像が投影される受光素子と、該受光素子を保持するセンサ保持部材を有し、該受光素子が該結像レンズの光軸に対して垂直であって互いに直交する第一、第二の２つの軸回りの傾き調整を必要とする受光素子の位置調整装置において、該センサ保持部材は該第一の軸と平行に並んだ一対のヒンジ部と回転可能に取り付けられることで該受光素子が該第一の軸回りの傾き調整を可能とし、該ヒンジ部の少なくとも一方が光軸方向に進退することにより該受光素子が第二の軸回りの傾き調整を可能としたことにより、結像レンズと受光素子の間にはセンサ保持部材のみしか存在せず、非常に省スペースで構成できるので、特に２次結像系の縮小倍率を極力小さくする必要のあるエリアＡＦにおいて非常に有効であり、また、構成が簡単で、調整された受光素子の固定も容易のため組立作業性が非常によくなる。
【図面の簡単な説明】
【図１】本発明に係る第１実施例のエリアＡＦでの焦点検出系を有するカメラの断面図である。
【図２】その焦点検出系のＡＦ本体ブロックの構成を示す分解斜視図である。
【図３】同じく、その第一のサブミラーの構成を示す平面図である。
【図４】同じく、そのエリアセンサの調整状態を示す側面図である。
【図５】同じく、図４のｋ−ｋ線断面図である。
【図６】同じく、そのエリアセンサの受光エリアを示す説明図である。
【図７】撮像画面上の焦点検出範囲を示す説明図である。
【図８】エリアセンサの傾きによる影響を示す第一の説明図である。
【図９】エリアセンサの傾きによる影響を示す第二の説明図である。
【図１０】エリアセンサの傾き調整の手順の説明図である。
【図１１】本発明の第２実施例におけるエリアセンサの調整状態を示す正面図である。
【符号の説明】
１・・レンズマウント、２・・主ミラー、３・・第一のサブミラー、６・・第二のサブミラー、９・・絞り、１０・・再結像レンズブロック、１１・・第三のサブミラー、１２・・センサ保持部材、１２ａ・・摺動部、１３・・エリアセンサ、１３ｅ，１３ｆ，１３ｇ，１３ｈ・・受光エリア、１４・・アジャスター、１４ａ・・ヒンジ部、１５・・マスク、２４・・ＡＦ本体ブロック、２４ｂ・・固定ヒンジ部。
【図１】
0003984679.tif 000002
【図２】
0003984679.tif 000003
【図３】
0003984679.tif 000004
【図４】
0003984679.tif 000005
【図５】
0003984679.tif 000006
【図６】
0003984679.tif 000007
【図７】
0003984679.tif 000008
【図８】
0003984679.tif 000009
【図９】
0003984679.tif 000010
【図１０】
0003984679.tif 000011
【図１１】
0003984679.tif 000012